(57)【特許請求の範囲】
【請求項１】
被計量物品の重量を表す計重信号を発生する計重手段と、
秤の使用地域における重力加速度値によって、または前記重力加速度値に対応して前記計重信号を補正する重力加速度補正値によって、前記計重信号を質量信号に補正する補正手段と、
前記秤の様々な使用地域と、これら使用地域の前記重力加速度値または前記重力加速度補正値とを対応させて、記憶している記憶手段と、
前記各使用地域のうち所望のものを選択する選択手段と、
この選択手段によって選択された使用地域に対応する重力加速度または重力加速度補正値を前記記憶手段から読み出す読み出し手段と、
前記記憶手段から読み出された重力加速度または重力加速度補正値を記憶し、記憶した重力加速度または重力加速度補正値を前記補正手段に供給する不揮発性記憶手段と、
前記選択手段によって前記使用地域が選択されたとき、前記不揮発性記憶手段に前記重力加速度または重力加速度の補正値が記憶されていると、既に記憶されている前記重力加速度または重力加速度の補正値によって前記補正手段に前記計量信号を前記質量信号に補正させる判定手段とを、
具備し、前記様々な使用地域は、公定のコード番号によって表されている秤。
【請求項２】
請求項１記載の秤において、前記公定のコード番号が郵便番号である秤。
【請求項３】
請求項１記載の秤において、前記公定のコード番号が電話番号である秤。
【発明の詳細な説明】
【０００１】
【発明の属する技術分野】
本発明は、秤に関し、特に重力加速度の補正に関する。
【０００２】
【従来の技術】
重力を利用して被計量物品の質量を計量する秤が一般に使用されている。ところが、重力の基礎となる重力加速度は、秤の使用地域ごとに異なる。そこで、日本国内を予め定めた複数の地域に分け、それぞれの地域ごとに使用する重力加速度が定められていた。異なる地域それぞれに対応した重力加速度を使用して、質量を計量する秤としては、例えば特開昭６０−１１５８１５号公報に開示されているものがある。この秤では、各種の重力加速度に対応する補正率がメモリに記憶されている。各加速度を指定するための複数の指定手段が設けられ、使用地域の重力加速度に応じて指定手段の１つを指定操作することにより、メモリから対応する補正率を読み出して、計量時にこの補正率を計重信号に乗算して、質量を求めている。
【０００３】
【発明が解決しようとする課題】
しかし、この秤では、日本国内を複数の地域に分けて、各地域ごとに使用する重力加速度を一律に定めている。従って、同じ地域内であっても、実際には重力加速度が異なることがあり、正確な質量を求めることができなかった。このため、通商産業省令の特定計量器検査規則が改定され、重力加速度あるいは重力加速度を補正するための補正値には、その秤の使用地域に応じたものを秤に記憶させて、使用することとなった。
【０００４】
しかし、秤の使用者若しくは販売業者が、その秤の設置場所に応じた重力加速度または補正値を、その秤に記憶させることは大変煩雑である。しかも、その設置場所に応じた重力加速度または補正値を使用者または販売業者が知ること自体が大変困難である。
【０００５】
本発明は、秤の設置場所に応じた重力加速度または重力加速度の補正値を容易に設定することができる秤を提供することを目的とする。
【０００６】
【課題を解決するための手段】
上記の目的を達成するために、本発明による秤は、被計量物品の重量を表す計重信号を発生する計重手段を有している。この計重手段は、計重信号を例えば電気信号として発生することができるものであれば、種々のものを使用することができる。秤の使用地域における重力加速度値によって、または重力加速度値に対応して前記計重信号を補正する重力加速度補正値によって、前記計重信号を質量信号に補正する補正手段が設けられている。前記秤の様々な使用地域と、これら使用地域の前記重力加速度または前記重力加速度補正値とを対応させて、記憶手段が記憶している。各使用地域のうち所望のもの、例えば、この秤の使用地域に対応するものを選択する選択手段が設けられている。この選択手段によって選択された使用地域に対応する重力加速度または重力加速度補正値を、読み出し手段が、前記記憶手段から読み出す。前記記憶手段から読み出された前記重力加速度またはこれの補正値を、不揮発性記憶手段が記憶する。この不揮発性記憶手段から記憶されている重力加速度または重力加速度補正値が前記補正手段に供給される。さらに、前記選択手段によって前記使用地域が選択されたとき、前記不揮発性記憶手段に前記重力加速度またはこれの補正値が記憶されていると、既に記憶されている前記重力加速度または重力加速度の補正値によって前記補正手段に前記計量信号を前記質量信号に補正させる判定手段が設けられている。前記様々な使用地域は、公定のコード番号によって表されている。この公定のコードとしては、例えば郵便番号または電話番号を使用することができる。郵便番号としては、７桁の詳細なものを使用することが望ましく、電話番号を使用する場合、市外局番と市内局番とを組み合わせたものを使用することが望ましい。
【０００７】
このように構成された秤では、この秤を使用しようとしている使用地域に対応する公定のコード、例えば郵便番号または電話番号を選択手段によって入力すると、その公定のコードに対応する地域において使用する重力加速度または重力加速度の補正値が、記憶手段から読み出し手段によって読み出される。従って、使用者または販売業者は、秤の使用地域に対応する公定コードさえ調べ、その公定コードを入力するだけで、後は自動的に、重力加速度またはそれの補正値が設定される。また、この公定コードの調査は、比較的容易に行える。従って、設定作業が容易に行え、通商産業省令の特定計量器検査規則に容易に対応することができる。また、一度不揮発性記憶手段に重力加速度またはこれの補正値が記憶された後には、その書き換えが不可能である。従って、重力加速度またはこれの補正値の不正な書き換えを防止することができる。
【００１２】
【発明の実施の形態】
本発明の１実施形態の秤は、図１に示すように、計重手段、例えば計量部２を有している。この計量部２としては、例えばロードセルのような、被計量物品の重量を表す計重信号をアナログ電気信号として出力するものを使用することができる。この計重信号は、Ａ／Ｄ変換部４に供給され、ディジタル計重信号に変換され、制御部、例えばＣＰＵ６に供給される。
【００１３】
ＣＰＵ６には、不揮発性メモリ８に記憶されたプログラムに従って、揮発メモリ１０をワーキングエリアとして使用しながら、ディジタル計重信号を処理する。この処理としては、例えば、ディジタル計重信号を、ディジタル質量信号に補正する補正処理がある。即ちＣＰＵ６は、補正手段として機能する。この補正処理では、不揮発性メモリ８の特定の領域に記憶されている、この秤が使用される地域用の重力加速度補正値を用いて、ディジタル計重信号の補正が行われる。例えば、この秤は、これが製造された地域で、例えば基準質量Ｍの被計量物品を計量部２で計量したとき、表示部１２において質量が重量Ｍｇ１（ｇ１は、製造された地域の重力加速度）によって表示されるように構成されている。この秤を重力加速度がｇ２の地域で使用すると、表示部１２にはＭｇ２と表示され、正確な質量が表示されない。そこで、この秤が使用される地域の重力加速度ｇ２に対するこの秤が製造された地域の重力加速度ｇ１の比率ｇ１／ｇ２が重力加速度の補正値として、不揮発性メモリ８に記憶されている。この補正値ｇ１／ｇ２をディジタル計重信号Ｍｇ２にＣＰＵ６によって乗算すると、Ｍｇ２・ｇ１／ｇ２の演算が行われ、その結果としてＭｇ１が得られ、正確な質量Ｍが表示部１２に表示される。
【００１４】
この秤が使用される地域ごとに重力加速度が異なるので、この補正値も異なったものとなる。これら各地域ごとの補正値は、記憶手段、例えば検索メモリ１４に記憶されている。この記憶は、図２に示すように、様々な使用地域を表す公定のコード、例えば郵便番号と対応させて記憶されている。１つの郵便番号が付されている地域における重力加速度は、一定とみなすことができるので、郵便番号を特定のコードとして使用することができる。この郵便番号には、詳細な地域を指定することができる７桁の郵便番号を使用することが望ましい。特定のコードがＣＰＵ６に供給されると、ＣＰＵ６は、検索メモリ１４から対応する補正値を読み出す。即ち、ＣＰＵ６は読み出し手段としても機能する。このように検索メモリ１４は、ルックアップテーブルメモリによって構成することができる。
【００１５】
ＣＰＵ６への上述した郵便番号は、選択手段、例えばキー部１６に含まれるテンキーの操作によって与えられる。上述したように、ＣＰＵ６は、テンキーの操作によって郵便番号が与えられると、この郵便番号に対応する補正値を検索メモリ１４から読み出して、不揮発性メモリ８に記憶させる。但し、既に、不揮発性メモリ８に補正値が記憶されている場合には、ＣＰＵ６は、補正値の書き換えを行わない。これは、不正書き換えを防止するためである。
【００１６】
なお、キー部１６には、この他に単価設定用のキーや風袋引き用のキーが設けら、これらを使用して被計量物品の値段が計算されているが、本願発明の要旨とは直接に関係しないので、詳細な説明は省略する。また、この秤で計測された質量や値段等が通信部１８を介して金銭登録機等に送信されるが、これも本願発明と直接に関係しないので、詳細な説明は省略する。
【００１７】
このように構成された秤では、ＣＰＵ６は、例えば次のようにして、補正値の設定を行う。即ち、図２に示すように、キー部１６が操作されて、この秤を使用する地域に対応する郵便番号が入力される（ステップＳ２）。次に、不揮発性メモリ８の重力加速度補正値が０であるか、即ち、まだ補正値が記憶されていないか判断する（ステップＳ４）。この判断の答えがノーであると、即ち既に補正値が記憶されていると、既に記憶されている補正値を重力補正で使用する（ステップＳ６）。これによって、一旦、補正値が不揮発性メモリ８に記憶されると、その変更は行われない。これによって不正な書き換えが防止されている。
【００１８】
ステップＳ４において、不揮発性メモリ８の記憶値が０であると判断されると、入力された郵便番号と、検索メモリ１４内の郵便番号とが比較される（ステップＳ８）。そして、入力された郵便番号と一致した郵便番号が検索メモリ１４内にあると、この一致した郵便番号に対応する補正値が検索メモリ１４から読み出される（ステップＳ１０）。この読み出された補正値が不揮発性メモリ８に記憶される（ステップＳ１２）。そして、ステップＳ６が実行され、以後、不揮発性メモリ８に記憶された補正値が重力補正に使用される。
【００１９】
上記の実施の形態では、補正値を読み出すための公定のコードとして郵便番号を使用したが、これに限ったものではなく、様々な地域と結びついた他の公定のコード、例えば電話番号を使用することもできる。電話番号を使用する場合には、市外局番と、市内局番との組合せを用いることが望ましい。なお、ディジタル計重信号をＣＰＵ６に入力したとき、この秤が製造された地域における重力加速度で計重信号を除算した値を算出する場合、検索メモリ１４には、補正値ではなく、様々な使用地域の重力加速値度値を、各使用地域に対応させて記憶させてもよい。また、上記の実施の形態では、秤自体に、各使用地域と重力加速度またはこれの補正値とを記憶させた検索メモリ１４を設けたが、このようなデータをパーソナルコンピュータの記憶手段、例えばハードディスクに記憶させておき、パーソナルコンピュータにおいて郵便番号または電話番号に基づいて検索を行い、その検索結果である重力加速度値またはこれの補正値を通信手段によって、秤の不揮発性メモリに記憶させてもよい。
【００２０】
【発明の効果】
以上のように、本発明によれば、秤の使用地域に対応した公定のコードを入力するだけで、自動的に使用地域に対応した重力加速度値またはこれの補正値を秤に設定することができ、この秤の使用者または販売業者が、秤の使用地域の重力加速度値や補正値を一々調査して、設定する必要が無く、また入力ミスが生じにくく、設定作業を容易に行うことができる。特に、公定のコードが、郵便番号や電話番号の場合、これらを知ることは非常に容易に行えるので、益々設定作業が容易になる。また、一度不揮発性記憶手段に重力加速度値または補正値が記憶された後には、その書き換えが不可能なように構成した場合には、不正な書き換えが行えず、計量器の信頼性を向上させることができる。
【図面の簡単な説明】
【図１】本発明の秤の１実施形態のブロック図である。
【図２】図１の秤で使用される不揮発性メモリの概略構成を示す図である。
【図３】図１の秤のＣＰＵが実行するプログラムのフローチャートである。
【符号の説明】
２  計量部（計量手段）
６  ＣＰＵ（補正手段、読み取り手段）
８  不揮発性メモリ（不揮発性記憶手段）
１４  検索メモリ（記憶手段）
【図１】
0004795544.tif 000002
【図２】
0004795544.tif 000003
【図３】
0004795544.tif 000004